(57)【要約】【課題】メインＣＰＵとサブＣＰＵとにより制御される構成において、異常待機状態から直接システム復帰させ得る投射装置等を提供する。【解決手段】メインＣＰＵ５１と、これを補助するサブＣＰＵ５２と、投射ランプ３１と、ユーザ操作部１０と、を有し、投射ランプが点灯状態であると共にメインＣＰＵおよびサブＣＰＵが動作している通常状態と、異常発生時に遷移する待機状態であって投射ランプが消灯状態であると共にメインＣＰＵおよびサブＣＰＵが動作している異常待機状態と、装置全体がリセットしている状態であると共にサブＣＰＵのみが動作しているシステムリセット状態と、の間で状態遷移するプロジェクタ１において、サブＣＰＵは、異常待機状態において、ユーザ操作部によりパワーＯＮが指示されたとき、異常待機状態からシステムリセット状態を経由して通常状態まで状態遷移させるものである。【選択図】図１
2007219165.tif 000002
【特許請求の範囲】
【請求項１】
自装置を統括制御するメインＣＰＵと、
前記メインＣＰＵの制御を補助するサブＣＰＵと、
画像を投射する投射ランプと、
ユーザ操作部と、を有し、
前記投射ランプが点灯状態であると共に前記メインＣＰＵおよび前記サブＣＰＵが動作している通常状態と、異常発生時に遷移する待機状態であって前記投射ランプが消灯状態であると共に前記メインＣＰＵおよび前記サブＣＰＵが動作している異常待機状態と、装置全体がリセットしている状態であると共に前記サブＣＰＵのみが動作しているシステムリセット状態と、の間で状態遷移する投射装置において、
前記サブＣＰＵは、前記異常待機状態において、前記ユーザ操作部によりシステム復帰が指示されたとき、前記異常待機状態から前記システムリセット状態を経由して前記通常状態まで状態遷移させることを特徴とする投射装置。
【請求項２】
前記サブＣＰＵは、前記異常待機状態において、前記ユーザ操作部によりシステム復帰が指示されたとき、当該指示を前記メインＣＰＵに通知すると共に、前記メインＣＰＵからのリセット指令に基づいて、前記異常待機状態から前記システムリセット状態に状態遷移させ、さらに前記サブＣＰＵ自身の制御に基づいて、前記システムリセット状態から前記通常状態に状態遷移させることを特徴とする請求項１に記載の投射装置。
【請求項３】
前記メインＣＰＵまたは前記サブＣＰＵによる状態遷移、および／または遷移後の状態を報知する報知部をさらに有することを特徴とする請求項１または２に記載の投射装置。
【請求項４】
コンピュータを、請求項１ないし３のいずれか１項に記載の投射装置における前記メインＣＰＵおよび／または前記サブＣＰＵとして機能させるためのプログラム。
【発明の詳細な説明】
【技術分野】
【０００１】
本発明は、自装置を統括制御するメインＣＰＵと、メインＣＰＵの制御を補助するサブＣＰＵと、により制御される投射装置およびプログラムに関するものである。
【背景技術】
【０００２】
従来、画像をスクリーンに投射するプロジェクタ（投射装置）において、省エネ等の観点から、待機状態（スタンバイ状態）における消費電力の削減が望まれている（例えば、特許文献１は、待機状態における消費電力の増加に伴う温度上昇の抑止が課題となっている）。そこで、プロジェクタを統括制御するメインＣＰＵとは別に、これを補助制御するためのサブＣＰＵを搭載し、待機状態においては消費電力の低いサブＣＰＵのみを動作させるものが知られている。これにより、装置制御に支障をきたすことなく、待機状態での消費電力を格段に削減可能となった。
【特許文献１】特開２００４−１３３１０６号公報（「従来の技術」等）
【発明の開示】
【発明が解決しようとする課題】
【０００３】
ところで、プロジェクタにおいて、投射ランプの不点灯などメインＣＰＵの異常が発生した場合、一般に異常待機状態（異常スタンバイ状態）という特定の状態に遷移する。この異常待機状態は、メインＣＰＵおよびサブＣＰＵの両方が動作している待機状態であり、図４に示すように（実線矢印参照）、異常待機状態から通常状態への状態遷移、すなわちシステム復帰させるためには、ＡＣ電源の抜き差しが必要であった（ＡＣ電源をＯＦＦして非電源供給状態とし、さらにＡＣ電源をＯＮして通常状態に遷移させる必要があった）。その他の方法としては、同じく図４に示すように（点線矢印参照）、外部コンピュータ等から特定のコマンドを受信して、一旦通常待機状態（少なくともサブＣＰＵが動作している待機状態であって、異常待機状態とは内部的な状態が異なる）に状態遷移させ、その後パワーＯＮ操作により通常状態へ遷移させることが可能である。しかしながら、いずれにしても従来は、異常待機状態から直接システム復帰させることができなかった。
【０００４】
本発明は、このような問題点に鑑み、メインＣＰＵとサブＣＰＵとにより制御される構成において、異常待機状態から直接システム復帰させ得る投射装置およびプログラムを提供することを目的とする。
【課題を解決するための手段】
【０００５】
本発明の投射装置は、自装置を統括制御するメインＣＰＵと、メインＣＰＵの制御を補助するサブＣＰＵと、画像を投射する投射ランプと、ユーザ操作部と、を有し、投射ランプが点灯状態であると共にメインＣＰＵおよびサブＣＰＵが動作している通常状態と、異常発生時に遷移する待機状態であって投射ランプが消灯状態であると共にメインＣＰＵおよびサブＣＰＵが動作している異常待機状態と、装置全体がリセットしている状態であると共にサブＣＰＵのみが動作しているシステムリセット状態と、の間で状態遷移する投射装置において、サブＣＰＵは、異常待機状態において、ユーザ操作部によりシステム復帰が指示されたとき、異常待機状態からシステムリセット状態を経由して通常状態まで状態遷移させることを特徴とする。
【０００６】
この構成によれば、サブＣＰＵは、異常発生時の待機状態である異常待機状態において、システム復帰が指示されると、異常待機状態からシステムリセット状態を経由して通常状態まで状態遷移させるため、システム復帰操作だけで直接システム復帰させることができる（システムリセット状態は、メインＣＰＵが動作しない状態であるが、サブＣＰＵが存在するため、システムリセット状態から通常状態への遷移が可能である）。つまり、異常待機状態から、一旦電源を切断し、電源を再投入するなどの手間を必要とすることなく、１回の操作だけでコールドスタートさせることができる。
【０００７】
上記の投射装置において、メインＣＰＵは、異常待機状態において、ユーザ操作部によりシステム復帰が指示されたとき、サブＣＰＵにリセット指令を行い、サブＣＰＵは、メインＣＰＵからのリセット指令に基づいて、異常待機状態からシステムリセット状態に状態遷移させ、さらにサブＣＰＵ自身の制御に基づいて、システムリセット状態から通常状態に状態遷移させることが好ましい。
【０００８】
この構成によれば、メインＣＰＵによってシステム復帰の指示検出を行う構成においても、メインＣＰＵがサブＣＰＵにリセット指令を行うため、ユーザによるシステム復帰操作だけで直接システム復帰させることができる。なお、サブＣＰＵの制御負荷軽減のため、通常状態から異常待機状態への状態遷移も、メインＣＰＵの指令に基づいて行うことが好ましい。
【０００９】
上記の投射装置において、メインＣＰＵまたはサブＣＰＵによる状態遷移、および／または遷移後の状態を報知する報知部をさらに有することが好ましい。
【００１０】
この構成によれば、報知部により、状態遷移したこと、および／または現在の状態をユーザが確認できるため、使い勝手が良い。なお、「報知部」とは、ＬＥＤによる報知、ブザー等の電子音による報知など、人間の視覚や聴覚によって認識可能な伝達方法を指すものである。
【００１１】
本発明のプログラムは、コンピュータを、上記の投射装置におけるメインＣＰＵおよび／またはサブＣＰＵとして機能させるためのものであることを特徴とする。
【００１２】
このプログラムを実行することにより、メインＣＰＵとサブＣＰＵとにより制御される構成において、異常待機状態から直接システム復帰させ得る投射装置を実現することができる。
【発明を実施するための最良の形態】
【００１３】
以下、本発明の一実施形態に係る投射装置およびプログラムについて、添付図面を参照しながら詳細に説明する。本発明は、メインＣＰＵとサブＣＰＵとによって制御される投射装置（プロジェクタ）において、異常発生時の待機状態である「異常待機状態」時にシステム復帰が指示されると、「異常待機状態」から「システムシステムリセット状態」を経由して「通常状態」まで状態遷移させる構成であるため、「異常待機状態」から直接システム復帰できるものである。
【００１４】
図１は、本実施形態に係るプロジェクタ１のシステム構成図である。同図に示すようにプロジェクタ１は、ユーザにより各種操作が行われるユーザ操作部１０と、外部装置Ｄと接続される接続部２０と、画像（映像）を投射する投射部３０と、ユーザに対して各種報知を行う報知部４０と、これら各部を制御する制御部５０と、を備えている。
【００１５】
ユーザ操作部１０は、リモコンやパネルキーによって構成されるものであり、サブＣＰＵ５２に対して信号を入力する。また、ＡＣ電源のＯＮ／ＯＦＦ操作（抜き差し操作）や、「異常待機状態」からシステム復帰させるためのパワーＯＮ操作（システム復帰操作）、「通常状態」から「通常待機状態」へ遷移させるためのパワーＯＦＦ操作等を実行可能である。なお、各状態の詳細については後述する（図２参照）。
【００１６】
接続部２０は、ＵＳＢケーブルを介して外部装置Ｄと接続されるＵＳＢコネクタ２１を有している。外部装置Ｄとしては、プロジェクタ１に画像データや各種コマンドを送信するコンピュータ、プロジェクタ１のリモート管理を行う管理装置、複数台のプロジェクタを用いて連続する画像を表示させる場合などに用いられる他のプロジェクタ等が挙げられる。なお、接続部２０を構成するコネクタ種類やコネクタ数は任意である。
【００１７】
投射部３０は、画像を投射する投射ランプ（液晶ライトバルブ）３１と、投射ランプ３１からの投射光（画像）をスクリーン３３上に拡大投射する投射レンズ３２と、を有している。なお、照明光学系および画像信号処理系も投射部３０に含まれるが、これらについては図示および説明を省略する。
【００１８】
報知部４０は、プロジェクタ１の遷移状態を表示するＬＥＤ４１と、状態遷移の開始時および終了時に、状態遷移が開始した旨、および終了した旨を電子音により報知するブザー４２と、を有し、サブＣＰＵ５２により制御される。ＬＥＤ４１は、遷移状態毎に５つの窓が設けられ（「通常状態」用、「低消費電力待機状態」用、「メインＣＰＵ動作待機状態」用、「異常待機状態」用、「システムリセット状態」用，いずれも図２参照）、各状態に対応する窓が点灯する。なお、電源が供給されていない状態（「非電源供給状態」，図２には図示省略）においては、全ての窓が消灯する。一方、ブザー４２は、「非電源供給状態」に遷移終了したとき以外の遷移開始時および遷移終了時に電子音を発生するが、遷移前または遷移後の状態に応じて、電子音を変化させることも可能である。
【００１９】
制御部５０は、プロジェクタ（自装置）１を統括制御するメインＣＰＵ５１と、当該メインＣＰＵ５１の制御を補助するサブＣＰＵ５２と、メインＣＰＵ５１により制御される周辺デバイス５３，５４と、これら周辺デバイス５３，５４を含むプロジェクタ１内の各部に電源を供給する電源系５５と、を有している。
【００２０】
メインＣＰＵ５１は、サブＣＰＵ５２と信号の入出力を行うバスコントローラ６０と、ＵＳＢコネクタ２１と信号の入出力を行うＵＳＢコントローラ６１と、を有している。すなわち、メインＣＰＵ５１は、システムバス８０を介してサブＣＰＵ５２とバス接続されおり、サブＣＰＵ５２と協働してプロジェクタ１全体を制御する。また、ＵＳＢコントローラ６１により、外部装置Ｄの制御（外部装置Ｄとの通信や外部装置Ｄによるリモート管理など）を行う。
【００２１】
サブＣＰＵ５２は、メインＣＰＵ５１と信号の入出力を行うバスコントローラ７０を有している。バスコントローラ７０は、電源系５５の電源制御（メインＣＰＵ５１や周辺デバイス５３，５４の起動／停止制御）をはじめとしたメインＣＰＵ５１の補助制御を行う。また、サブＣＰＵ５２は、報知部４０と接続され、状態遷移に関する報知制御を行う。なお、サブＣＰＵ５２は、メインＣＰＵ５１よりも消費電力が低くなるように構成されている。これは、常時電源投入されている場合に、メインＣＰＵ５１が動作しない「低消費電力待機状態」で可能な限り省電力を実現するためである。
【００２２】
周辺デバイス５３，５４は、例えば映像ドライバや、ネットワークコントローラ用ＩＣなど、メインＣＰＵ５１によって制御される各種デバイスを指すものであり、図示では２つであるが、その数は任意である。
【００２３】
上記の構成により、例えば異常発生時に遷移する「異常待機状態」において、サブＣＰＵ５２にユーザ操作部１０によるパワーＯＮ信号が入力されると、システムバス８０を介してこれをメインＣＰＵ５１に出力する。メインＣＰＵ５１は、当該パワーＯＮ信号の入力により、サブＣＰＵ５２にシステムリセットを指令し、サブＣＰＵ５２はこの指令に基づいて、周辺デバイス５３，５４にリセット信号を送信する。なお、リセット信号を周辺デバイス５３，５４に送信する代わりに、電源系５５に電源制御信号（電源ＯＦＦ信号）を送信しても良い。これにより、プロジェクタ１は、「異常待機状態」から「システムリセット状態」に状態する。なお、サブＣＰＵ５２は、この後も引き続き「システムリセット状態」から「通常状態」への状態遷移を行うが、これらの状態遷移については、以下図２および図３を参照して詳細に説明する。
【００２４】
図２は、各状態の詳細を示す図であり、図３は、各状態間における状態遷移図である。図２に示すとおり、プロジェクタ１は、「通常状態」、「低消費電力待機状態」、「メインＣＰＵ動作待機状態」、「異常待機状態」および「システムリセット状態」といった５つの状態間で遷移する（電源が供給されていない「非電源供給状態」も含めると６つの状態間で遷移する）。
【００２５】
「通常状態」とは、メインＣＰＵ５１およびサブＣＰＵ５２が動作し、投射ランプ３１も点灯している状態を指す。また、「低消費電力待機状態」とは、パワーＯＮ受付待ちの通常待機状態であって、サブＣＰＵ５２のみ動作し、投射ランプ３１は消灯している状態を指す。また、「メインＣＰＵ動作待機状態」とは、「低消費電力待機状態」と同様にパワーＯＮ受付待ちの通常待機状態を指すが、メインＣＰＵ５１が動作している点で異なる。
【００２６】
また、「異常待機状態」とは、異常発生をトリガとして遷移する待機状態であって、メインＣＰＵ５１およびサブＣＰＵ５２が動作し、投射ランプ３１は消灯している状態を指す。すなわち、「異常待機状態」と「メインＣＰＵ動作待機状態」とは、「通常状態」から異常発生をトリガとして遷移したか、パワーＯＦＦをトリガとして遷移したかの違いがあると共に内部的な状態が異なる（メインＣＰＵ５１が異常状態であるため温度検出等の処理をマスクしている点や、外部装置Ｄ（コンピュータ）からのコマンドに対しての応答処理が異なる）。
【００２７】
また、「システムリセット状態」とは、サブＣＰＵ５２のみ動作し、システム全体がリセットしている状態（投射ランプ３１も消灯している状態）を指す。
【００２８】
なお、図３の点線部に示すように、「低消費電力待機状態」および「メインＣＰＵ動作待機状態」を、まとめて「通常待機状態」と称する。「通常待機状態」とは、少なくともサブＣＰＵ５２が動作するパワーＯＮ受付待ち状態であって、投射ランプ３１は消灯している状態を指す。なお、「低消費電力待機状態」と「メインＣＰＵ動作待機状態」のいずれも、「通常状態」からのパワーＯＦＦをトリガとして遷移するが、どちらに遷移するかはユーザが設定可能となっている。その設定値は、サブＣＰＵ５２が参照可能な外部記憶媒体（図示省略）に記憶され、その参照結果に基づいて状態遷移制御が行われる。
【００２９】
なお、「低消費電力待機状態」から「メインＣＰＵ動作待機状態」への遷移は、サブＣＰＵ５２による外部装置Ｄの接続検出をトリガとする。これにより、「低消費電力待機状態」においては、外部装置Ｄを接続させるだけで当該外部装置Ｄの制御を行い得る状態に遷移できる。また、「メインＣＰＵ動作待機状態」から「低消費電力待機状態」への遷移は、サブＣＰＵ５２による外部装置Ｄの切断検出をトリガとする。これにより、簡易な操作で元の状態に戻すことができる。つまり、必要のあるときだけ外部装置Ｄを接続して使用する場合は、使用後に外部装置Ｄを切断するため、この場合も特別な操作を必要とすることなく「低消費電力待機状態」に戻すことができる。
【００３０】
ここで、メインＣＰＵ５１およびサブＣＰＵ５２による「異常待機状態」を中心とした状態遷移制御のトリガについて説明する。なお、上記のとおり、状態遷移の開始時および終了時には、ブザー４２により電子音が発生されると共に、遷移後の状態がＬＥＤ４１によって表示されるが、これらの説明については以下省略する。
【００３１】
図３に示すように、「通常状態」において、メインＣＰＵ５１が異常発生を検出すると、サブＣＰＵ５２に対して「異常待機状態」への遷移を指令する。異常発生とは、投射ランプ３１の不点灯、冷却ファンの故障等による温度上昇など、メインＣＰＵ５１が他のデバイスの制御ができなくなったような状況を指すものである。「異常待機状態」への遷移を指令されたサブＣＰＵ５２は、「通常状態」から「異常待機状態」への状態遷移制御を行う。
【００３２】
また、「異常待機状態」において、メインＣＰＵ５１がパワーＯＮを検出すると、サブＣＰＵ５２に対して「システムリセット状態」への遷移を指令する（リセット指令）。「システムリセット状態」への遷移を指令されたサブＣＰＵ５２は、「異常待機状態」から「システムリセット状態」への状態遷移制御を行い、さらにサブＣＰＵ５２自身の制御によって「システムリセット状態」から「通常状態」への状態遷移制御を行う。つまり、「異常待機状態」において、ユーザがパワーＯＮを指示するだけで、「異常待機状態」→「システムリセット状態」→「通常状態」へと一連の状態遷移制御が行われる。言い換えれば、ＡＣ電源の抜き差しを行ったことと等しいコールドスタートを実現させることができる。
【００３３】
以上、説明したとおり、本実施形態によれば、サブＣＰＵ５２は、「異常待機状態」において、パワーＯＮをトリガとして「異常待機状態」から「システムリセット状態」を経由して「通常状態」に状態遷移させるため、ユーザとしては、パワーＯＮ操作だけで直接システム復帰させることができる。これは、「システムリセット状態」においてもサブＣＰＵ５２が動作していることにより実現し得るものである。また、システム復帰のための操作と、「通常待機状態」から「通常状態」へ遷移させるための操作とが同じ「パワーＯＮ操作」であるため、操作が分かり易いといった利点もある。
【００３４】
また、「異常待機状態」から「通常状態」に至る状態遷移において、「異常待機状態」から「システムリセット状態」への状態遷移は、メインＣＰＵ５１からのリセット指令に基づいてサブＣＰＵ５２が実行するため、本実施形態のように、メインＣＰＵ５１によってパワーＯＮの指示検出を行う構成においても（本実施形態では、パワーＯＮの信号入力はサブＣＰＵ５２に対して行われるが、検出はメインＣＰＵ５１である）、ユーザによるパワーＯＮ操作だけで直接システム復帰させることができる。また、「通常状態」から「異常待機状態」への状態遷移も、メインＣＰＵ５１の異常発生検出および状態遷移指令に基づいてサブＣＰＵ５２が実行するため、サブＣＰＵ５２の制御負荷を軽減することができる。
【００３５】
また、報知部４０による報知（ＬＥＤ４１やブザー４２）により、状態遷移したこと、および／または現在の状態をユーザが確認できるため、使い勝手が良い。
【００３６】
なお、「通常状態」から「異常待機状態」への状態遷移、および「異常待機状態」から「システムリセット状態」を経由して「通常状態」までの状態遷移は、サブＣＰＵ５２のみの制御によっても実現可能である。すなわち、プロジェクタ１内部における異常発生やパワーＯＮの指示を、サブＣＰＵ５２が検出し、その検出結果に基づいてサブＣＰＵ５２自身で状態遷移制御を行うようにしても良い。
【００３７】
また、逆に「通常状態」から「異常待機状態」、および「異常待機状態」から「システムリセット状態」への状態遷移制御については、メインＣＰＵ５１が行うようにしても良い。すなわち、プロジェクタ１内部における異常発生やパワーＯＮの指示を、メインＣＰＵ５１が検出し、その検出結果に基づいてメインＣＰＵ５１自身で上記の状態遷移制御を行うようにしても良い。
【００３８】
また、上記の例では、パワーＯＮ操作をトリガとして「異常待機状態」から「通常状態」へ状態遷移する（システム復帰する）ものとしたが、リモコンやパネルキーに、システム復帰のための特定のボタンまたはキーを設け、それらの押下をトリガとして状態遷移するようにしても良い。但しこの場合も、１回の操作で「異常待機状態」から「通常状態」へ状態遷移できることが好ましい。
【００３９】
また、上記の例では、報知部４０による報知方法として、ＬＥＤ４１やブザー４２による報知を例示したが、これらに限らず、スクリーン３３上に表示したり、接続部２０に接続されたコンピュータ（外部装置Ｄ）の表示画面上にこれらを表示したりすることで報知を行っても良い。
【００４０】
また、上記の例では、接続部２０が、メインＣＰＵ５１に接続された構成となっているが（図１参照）、サブＣＰＵ５２と接続された構成としても良い。この場合、サブＣＰＵ５２は、接続部２０からの入力信号を、システムバス８０を介してメインＣＰＵ５１に入力することとなる。
【００４１】
また、上記の例に示した、プロジェクタ１の各部（特に、メインＣＰＵ５１およびサブＣＰＵ５２の機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００４２】
また、上述した実施例によらず、プロジェクタ１の装置構成や処理工程等について、本発明の要旨を逸脱しない範囲で、適宜変更も可能である。また、プロジェクタ１以外にも、メインＣＰＵとサブＣＰＵから成るＩＣ構成を有し、「通常状態」と「異常待機状態」との間で状態遷移を行う装置であれば、本発明を適用可能である。また、サブＣＰＵを複数有するＩＣ構成であっても良い。
【図面の簡単な説明】
【００４３】
【図１】本発明の一実施形態に係るプロジェクタのシステム構成図である。
【図２】プロジェクタの各状態の詳細について説明するための図である。
【図３】プロジェクタの状態遷移図である。
【図４】背景技術を説明するための図である。
【符号の説明】
【００４４】
１：プロジェクタ，１０：ユーザ操作部，２０：接続部，３０：投射部，４０：報知部，５０：制御部，５１：メインＣＰＵ，５２：サブＣＰＵ，５３〜５４：周辺デバイス，５５：電源系
【図１】
2007219165.tif 000003
【図２】
2007219165.tif 000004
【図３】
2007219165.tif 000005
【図４】
2007219165.tif 000006